(57)【要約】【課題】比較的離れた距離でも通信可能なアクティブ型無線タグを用いるが、使用中の計測器を誤動作させず、また計測データに影響を与えない態様で、計測器の捜索、棚卸し、貸出・返却、持出防止などの管理が行える無線タグ利用計測器管理システムを得ること。【解決手段】計測器にアクティブ型の無線タグを添付し、タグリーダから問い合わせ信号を送信して前記計測器の管理を行う無線タグ利用計測器管理システムであって、無線タグは、通常の待機時においては、所定期間のスリープモードとタグリーダからの問い合わせ信号の受信を監視する受信モードとを交互に繰り返す。タグリーダは、スリープモードの時間間隔よりも十分に長い時間内問い合わせ信号を送信する。【選択図】        図２
2008244830.tif 000002
【特許請求の範囲】
【請求項１】
計測器にアクティブ型の無線タグを添付し、タグリーダから問い合わせ信号を送信して前記計測器の管理を行う無線タグ利用計測器管理システムであって、
前記無線タグは、通常の待機時においては、所定期間のスリープモードと前記タグリーダからの問い合わせ信号の受信を監視する受信モードとを交互に繰り返す
ことを特徴とする無線タグ利用計測器管理システム。
【請求項２】
計測器にアクティブ型の無線タグを添付し、タグリーダから問い合わせ信号を送信して前記計測器の管理を行う無線タグ利用計測器管理システムであって、
前記無線タグは、静止状態と運搬状態とを識別できる検出手段を備え、通常の待機時においては、前記静止状態では第１の所定期間のスリープモードと前記タグリーダからの問い合わせ信号の受信を監視する受信モードとを交互に繰り返し、前記運搬状態では前記第１の所定期間よりも短い第２の所定期間のスリープモードと前記タグリーダからの問い合わせ信号の受信を監視する受信モードとを交互に繰り返す
ことを特徴とする無線タグ利用計測器管理システム。
【請求項３】
前記タグリーダは、前記スリープモードの時間間隔よりも長い時間内、前記問い合わせ信号を送信することを特徴とする請求項１または２に記載の無線タグ利用計測器管理システム。
【請求項４】
前記無線タグは、前記受信モード時に前記タグリーダからの問い合わせ信号を受信すると発信モードに移行し、前記タグリーダから応答を受信するまで、または所定の繰り返し回数経過するまで、当該発信モードを前記スリープモードの時間間隔よりも短い時間間隔で繰り返すことを特徴とする請求項３に記載の無線タグ利用計測器管理システム。
【請求項５】
前記タグリーダは、前記発信モードになった無線タグからの電波受信強度によって、当該無線タグが近くに在るか否かを判別することを特徴とする請求項４に記載の無線タグ利用計測器管理システム。
【発明の詳細な説明】
【技術分野】
【０００１】
この発明は、無線タグを利用して計測器の捜索や棚卸し、貸出・返却の管理、持出管理などを行う無線タグ利用計測器管理システムに関するものである。
【背景技術】
【０００２】
無線タグには、自発的には発信せずリーダからの問いかけ信号の電力を利用してＩＤを発信するパッシブ型のものと、電池を内蔵し自発的にＩＤを発信するアクティブ型のものとがある。
【０００３】
無線タグは、各種の分野で利用されているが、ここでは、物品の管理に利用した例として、例えば、特許文献１に開示された「ＩＤタグ付き伝票を用いた物品管システム」を挙げることができる。図１１を参照して、その概要を説明する。図１１は、従来の無線タグシステムの構成例を示すブロック図である。
【０００４】
図１１において、物品に添付されるＩＤタグ付き伝票１００は、品目名等が記載される伝票を収納するケースに、ＩＤデータを格納する無線タグであるＩＤタグを取り付けたもので、問いかけ信号に反応してＩＤタグがその格納するＩＤデータを無線送信するようになっている。
【０００５】
センター制御部１０１は、ＩＤタグ付き伝票１００のＩＤタグに対し問いかけ信号を無線送信するとともに、その伝票のＩＤデータの無線受信を行うリーダ、伝票番号を入力する入力部、入力された伝票番号とリーダが無線受信したＩＤ番号との対応付けを行う処理部、その対応付けたデータを格納する記憶部を備えた伝票発行部と、伝票発行部において対応付けられたデータや各倉庫の商品データ等の総合的なデータを格納するデータ格納部と、並列に接続される多数のローカル処理部１０２から送信されてくるデータの処理を行うデータ処理部とを備える。
【０００６】
多数のローカル処理部１０２は、それぞれ在庫管理が行われる位置に設けられ、それぞれに所定数のリーダ１０３が接続されている。リーダ１０３は、ＩＤタグ付き伝票１００のＩＤタグに対し問いかけ信号を無線送信し、無線受信したＩＤデータをローカル処理部１０２に渡す。ローカル処理部１０２は、リーダ１０３から受け取ったＩＤデータをセンター制御部１０１に送信する。
【０００７】
【特許文献１】特開平７−８１７２５号公報（ＩＤタグ付き伝票を用いた物品管理システム）
【発明の開示】
【発明が解決しようとする課題】
【０００８】
ところで、無線タグを利用して計測器の棚卸しや貸出・返却の管理、持出チェック管理などを行うこの発明の無線タグ利用計測器管理システムでは、例えば、貸出・返却の管理では、他の無関係な計測器には影響を与えないで貸出・返却の処理が行える必要がある。また、工場などから外部に不正に持ち出すのを防止する持出管理では、リーダへの到達距離は或る程度大きい（例えば数１０メートル）ことが必要である。このような観点から従来の無線タグの利用状況を検討すると、次のような問題点がある。
【０００９】
すなわち、上記の特許文献１に開示されるＩＤタグ付き伝票を用いた物品管理システムで用いる無線タグは、パッシブ型であるので、発信電力は低く、リーダへの到達距離は短い。したがって、この発明が構築しようとする無線タグ利用計測器管理システムで用いる無線タグは、リーダへの到達距離を或る程度大きく採ることのできるアクティブ型とする必要がある。ところが、従来では、アクティブ型無線タグを図１２に示す態様で用いているので、問題である。
【００１０】
図１２は、アクティブ型無線タグの従来の利用態様を示す通信タイムチャートである。図１２では、２つのアクティブ型無線タグが、所定の送信間隔で定期的にＩＤデータを無線送信し、タグリーダが受信処理する態様が示されている。
【００１１】
すなわち、図１２に示すように、従来では、アクティブ型無線タグを定期的に電波を発信するように用いているので、計測器の捜索時や棚卸し時以外でも電波を発信し続けている。このような利用形態では、計測器の貸出・返却の際に無関係な他の計測器が誤動作する可能性があり、また無線関連の計測器の場合は計測データに対するノイズとなる可能性がある。したがって、この発明では、アクティブ型無線タグの利用形態を従来とは異なる観点から構築する必要がある。
【００１２】
この発明は、上記に鑑みてなされたものであり、比較的離れた距離でも通信可能なアクティブ型無線タグを用いるが、使用中の計測器を誤動作させず、また計測データに影響を与えない態様で、計測器の捜索、棚卸し、貸出・返却、持出防止などの管理が行える無線タグ利用計測器管理システムを得ることを目的とする。
【課題を解決するための手段】
【００１３】
上述した目的を達成するために、この発明は、計測器にアクティブ型の無線タグを添付し、タグリーダから問い合わせ信号を送信して前記計測器の管理を行う無線タグ利用計測器管理システムであって、前記無線タグは、通常の待機時においては、所定期間のスリープモードと前記タグリーダからの問い合わせ信号の受信を監視する受信モードとを交互に繰り返すことを特徴とする。
【００１４】
この発明によれば、無線タグは、アクティブ型であるが、通常の待機時においては、不要な電波を発信しないので、使用中の計測器を誤動作させず、また計測データに影響を与えないようにすることができる。
【発明の効果】
【００１５】
この発明によれば、通常の待機時においては、使用中の計測器を誤動作させず、また計測データに影響を与えないようにすることができるという効果を奏する。
【発明を実施するための最良の形態】
【００１６】
以下に図面を参照して、この発明にかかる無線タグ利用計測器管理システムの好適な実施の形態を詳細に説明する。ここでは、計測器の捜索・棚卸し時のシステム構成と動作（図１，図２）、計測器の貸出・返却の管理時のシステム構成と動作（図３，図４）、計測器の持出管理時のシステム構成と動作（図５〜図７）、無線タグの構成（図８）、タグリーダの構成（図９）の順に説明する。
【００１７】
図１は、この発明の無線タグ利用計測器管理システムにて実施できる計測器の捜索・棚卸し時の構成例を示す概念図である。図１において、計測器収納部屋１の壁面には、部屋番号が登録された無線タグ２が貼着されている。計測器収納部屋１内の収納棚３に載置される各計測器４には、当該計測器の属性などが登録された無線タグ５が添付されている。計測器収納部屋１内において計測器の捜索や棚卸しを行う係員６は、可搬型のタグリーダであるハンディターミナル７を所持している。
【００１８】
無線タグ２，５は、それぞれアクティブ型であるが、通常の待機時は、所定期間のスリープモードを経過すると受信モードとなり、タグリーダからの問い合わせ信号を受信しないと、再び所定期間のスリープモードに移行することを繰り返している。つまり、無線タグ２，５は、通常の待機時は、電波を発信する動作はしていない。以下、図２を参照して計測器の捜索・棚卸し時における処理動作を説明する。
【００１９】
図２は、図１に示す計測器の捜索・棚卸し時における無線タグの動作を説明する通信タイムチャートである。図２では、棚上計測器の無線タグ５の２つ（＃１）（＃２）とハンディターミナル７との通信態様が示されているが、番号用の無線タグ２についても同様である。
【００２０】
図２において、棚上計測器の無線タグ５は、例えば２０秒間のスリープモードを経過すると受信モードになってタグリーダからの問い合わせ信号の受信を監視し、問い合わせ信号を受信しないと、再び２０秒間のスリープモードに移行することを繰り返している。スリープモードの期間及びスリープモードに入る時刻は、各無線タグ間でランダムである。
【００２１】
ハンディターミナル７は、係員５の発信指示があると、まず、ＩＤを含まない問い合わせ信号を、スリープモードの期間よりも十分に長い期間内、ブロードキャスト送信する。これによって、全ての棚上計測器４の無線タグ５は、ブロードキャスト送信期間内に問い合わせ信号を受信し応答できる状況となる。
【００２２】
すなわち、棚上計測器４の無線タグ５は、受信モードになったときに問い合わせ信号を受信すると、発信モードとなり応答として自タグのＩＤを送信する。そして、それに対するＡＣＫ信号を受信できるまでの間、例えば１秒間隔で自タグＩＤの送信を行う発信モードを繰り返す。
【００２３】
ハンディターミナル７は、問い合わせ信号送信期間を経過すると、各無線タグ５が送信しているタグＩＤの受信処理を開始し、それぞれにＡＣＫ信号を返送することで、全ての無線タグ５からＩＤを収集する。このＩＤ収集動作は、数秒で終了する。
【００２４】
なお、各無線タグが発信モードになるタイミングが同じであると、発信時刻が同じである複数の無線タグが発生し、ハンディターミナル７がＩＤ情報を読み取れない場合が起こる。そこで、各無線タグは、ランダムなタイミングで発信モードになるようにしてあり、或る時刻で発信時刻が重なっても、次の発信時刻では重ならないようになっている。
【００２５】
棚上計測器の無線タグ５は、上記した１秒間隔のＩＤ送信を繰り返している過程でＡＣＫを受信すると、発信モードから直ちに２０秒間のスリープモードに移行し、その後は、スリープモードと受信モードとを繰り返す。
【００２６】
以上は計測器の棚卸し時の処理であるが、計測器の捜索では、ハンディターミナル７がＡＣＫ信号を返送する際に該当するタグＩＤを持つ無線タグ５に対して例えばランプ点灯を指示することで、簡単に目的の計測器を見つけ出すことができる。
【００２７】
次に、計測器の貸出・返却の管理について説明する。図３は、この発明の無線タグ利用計測器管理システムにて実施できる計測器の貸出・返却の管理時の構成例を示す概念図である。図４は、図３に示す計測器の貸出・返却の管理時における無線タグの動作を説明する通信タイムチャートである。
【００２８】
図３に示すように計測器の貸出・返却の管理では、計測器収納部屋１内の収納棚３の前方に配置した机１０に、計測器貸出管理端末１１を載置し、それに固定型のタグリーダ１２を接続した構成を採る。
【００２９】
係員５が貸し出す計測器１３をタグリーダ１２の近くの机１０に載置し、例えば係員５がタグリーダ１２に処理開始指示を与えることでタグリーダ１２が送信動作を開始する、あるいは、机１０に貸し出す計測器１３が載置されたことを検出してタグリーダ１２が自動的に送信動作を開始する。その結果、図４に示す通信態様で貸出処理が行われる。
【００３０】
図４において、タグリーダ１２は、まず、ＩＤを含まない問い合わせ信号をスリープモードの時間間隔２０秒よりも長い時間内ブロードキャスト送信する。図４では、貸し出す計測器１３の無線タグ５のみを示すが、これによって、貸し出す計測器１３と全ての棚上計測器４との無線タグ５は、問い合わせ信号を受信し応答できる状況となる。すなわち、貸し出す計測器１３と全ての棚上計測器４との無線タグ５は、受信モードになったとき問い合わせ信号を受信すると、発信モードとなり応答として自タグのＩＤを送信し、１秒間隔で発信モードを繰り返す。
【００３１】
タグリーダ１２は、各無線タグ５からの受信強度を調べ、受信強度が或る値以上となる無線タグを検出する。棚上計測器４の無線タグ５は遠く在るが、それらの間の受信強度差は少ない。一方、貸し出す計測器１３の無線タグ５は近くに在ので、その受信強度は、棚上計測器４の無線タグ５からの受信強度よりも遙かに大きい。
【００３２】
タグリーダ１２は、このようにして貸し出す計測器１３の無線タグ５を検出すると、貸し出す計測器１３の無線タグ５からのＩＤデータ（貸し出す計測器１３の計測器情報）を計測器貸出管理端末１１に引き渡す。
【００３３】
すると、計測器貸出管理端末１１は、貸し出す計測器１３の計測器情報をディスプレイに表示するとともに、貸し出し処理を行い、貸し出し情報（データ１〜ｎ）をタグリーダ１２に与える。タグリーダ１２は、問い合わせ信号送信期間を経過すると、貸し出す計測器１３の無線タグ５からのＩＤ受信に対する応答として、貸し出す計測器１３の無線タグ５に貸し出し情報（データ１〜ｎ）を送信して書き込みを行う。
【００３４】
貸し出す計測器１３の無線タグ５は、最終データｎの受信に対するＡＣＫ信号をタグリーダ１２に送信すると、２０秒間の間隔で繰り返すスリープモードに移行する。全ての棚上計測器４の無線タグ５は、１秒間隔の発信モードを所定回数繰り返しても、タグリーダ１２から何も応答が来ないので、２０秒間の間隔で繰り返すスリープモードに移行する。
【００３５】
以上は、計測器貸出管理端末１１が貸し出し処理を自動的に行う場合であるが、計測器貸出管理端末１１が貸し出す計測器１３の計測器情報をディスプレイに表示すると、係員が計測器貸出管理端末１１を操作して貸し出し処理を行い、係員が計測器貸出管理端末１１に出力指示を出して計測器貸出管理端末１１から貸し出し情報（データ１〜ｎ）をタグリーダ１２に与えるようにしても良い。
【００３６】
返却処理も同様の手順で行う。返却処理は、返却する計測器１３のタグＩＤを確認するだけであるので、返却する計測器１３を机１０に載置すると、短時間に返却手続きを完了する。
【００３７】
次に、計測器を不正に持ち出すのを防止する計測器の持出管理について説明する。図５は、この発明の無線タグ利用計測器管理システムにて実施できる計測器の持出管理時（その１）の構成例を示す概念図である。図６は、図５に示す計測器の持出管理時（その１）における無線タグの動作を説明する通信タイムチャートである。図７は、この発明の無線タグ利用計測器管理システムにて実施できる計測器の持出管理時（その２）の構成例を示す概念図である。図８は、図７に示す計測器の持出管理時（その２）における無線タグの動作を説明する通信タイムチャートである。
【００３８】
計測器の持出管理には、２つの態様がある。第１の態様は、図５に示すように、工場敷地から外に出る門（ゲート）１４の近く在る守衛所１５に持出管理用タグリーダ１６ａを配置し、門（ゲート）１４に向けて問い合わせ信号を所定の間隔で送信する構成である。持出管理用タグリーダ１６ａは、持出管理用端末１６ｂに接続されている。
【００３９】
通信距離は、５０ｍまで可能である。つまり、持出管理用タグリーダ１６ａの監視エリア１７は門（ゲート）１４を含む半径５０ｍである。この半径５０ｍの監視エリア１７内に従業員等１８が無線タグ１９の添付された計測器２０を所持して入ると、その無線タグ１９を図６に示す方法で認識することができる。
【００４０】
図６において、持出管理用タグリーダ１６ａは、半径５０ｍの監視エリア１７に向けてＩＤを含まない問い合わせ信号をスリープモードの時間間隔よりも長い所定の間隔で送信している。持ち出す計測器２０の無線タグ１９は、半径５０ｍの監視エリア１７内に入るまでは、２０秒間のスリープモードと受信モードとを交互に繰り返している。
【００４１】
人の歩く歩幅は、約２ｍ／ｓであるので、持ち出す計測器２０の無線タグ１９は、持出管理用タグリーダ１６ａから最長で５０ｍ、最短で１０ｍの位置で問い合わせ信号を受信して自タグＩＤの送信を行う発信モードに移行し、それを１秒間隔で繰り返す。
【００４２】
持出管理用タグリーダ１６ａは、問い合わせ信号の送信時間を経過すると、持ち出す計測器２０の無線タグ１９からＩＤ情報を取得し、持ち出す計測器２０が未手続きであるか否かを調べる。これによって、不正な持ち出しを防止することができる。
【００４３】
第２の態様は、通信距離が５０ｍに満たない場合の措置である。図７に示すように、図５に示す構成において、持出管理用タグリーダ１６ａの監視エリア１７が門（ゲート）１４の所までの半径数ｍである場合に、門（ゲート）１４の手前所定位置に立てた支柱２１の先端に、予告タグリーダ２２を設置し、予告タグリーダ２２に半径５０ｍの監視エリア２３を常時形成させる構成である。
【００４４】
図８において、持出管理用タグリーダ１６ａは、半径数ｍの監視エリア１７に向けてＩＤを含まない問い合わせ信号をスリープモードの時間間隔よりも長い所定の間隔で送信している。一方、予告タグリーダ２２は、半径数５０の監視エリア２３に向けてＩＤを含まない問い合わせ信号を連続で送信している。
【００４５】
持ち出す計測器２０の無線タグ１９は、予告タグリーダ２２が形成する半径５０ｍの監視エリア２３内に入るまでは、２０秒間のスリープモードと受信モードとを交互に繰り返しているが、半径５０ｍの監視エリア２３内に入ると１秒間隔の発信モードに移行する。予告タグリーダ２２は、問い合わせ信号を送信するだけで、タグＩＤの受信処理は行わない。
【００４６】
持ち出す計測器２０の無線タグ１９は、１秒間隔の発信モードを繰り返しながら、持出管理用タグリーダ１６ａが形成する半径数ｍの監視エリア１７に入る。持出管理用タグリーダ１６ａでは、問い合わせ信号の送信時間を経過すると、持ち出す計測器２０の無線タグ１９からＩＤを取得し、持ち出す計測器２０が未手続きであるか否かを調べる。これによって、持出管理用タグリーダ１６ａでの監視エリアが小さい場合でも、足早に門（ゲート）１４から外へ不正に持ち出そうとするのを防止することができる。
【００４７】
次に、図９は、図１等に示す無線タグの構成を説明するブロック図である。図９に示すように、無線タグの主体をなす無線タグ基板２５には、主要部であるＣＰＵ内蔵無線ＩＣ２６と、ループアンテナ２７と、発振器（ＯＳＣ）２８と、シリアルＥＥＰＲＯＭ２９と、電池３０と、発光素子（ＬＥＤ）３１，３２とが搭載され、また設定時に用いるプログラム書き込み用端子３３とシリアル通信用端子３４とが設けられている。そして、オプションとして、無線タグ基板２５には、３軸加速度センサ３５とプッシュスイッチ３６とが搭載される場合もある。
【００４８】
ループアンテナ２７は、ループ状のパターンで形成され、ＵＨＦ帯（例えば２．４ＧＨｚ帯）の周波数を用いてタグリーダと無線通信するのに用いる。ＣＰＵ内蔵無線ＩＣ２６のＣＰＵ部が作成したデータが、または、ＣＰＵ内蔵無線ＩＣ２６の無線部がシリアルＥＥＰＲＯＭ２９から読み出した自タグのＩＤや送信用データが、ループアンテナ２７からタグリーダに無線送信される。また、ループアンテナ２７が無線受信したタグリーダからの受信データは、ＣＰＵ内蔵無線ＩＣ２６において無線部からＣＰＵ部に送られて処理される。ＣＰＵ内蔵無線ＩＣ２６のＣＰＵ部、必要に応じて受信データや処理結果をシリアルＥＥＰＲＯＭ２９に保存する。
【００４９】
発振器（ＯＳＣ）２８は、スリープモードの時間間隔、受信モードでの受信監視時間、所定時間（上記の例では１秒）毎に繰り返す発信モードの繰り返し間隔などの基準を与える。ＣＰＵ内蔵無線ＩＣ２６のＣＰＵは、発振器（ＯＳＣ）２８の出力に基づきこれらの時間管理を行うタイマーを備えている。上記のスリープモードの例で言えば、タイマーには、スリープモードの時間２０秒が設定され、その２０秒を計時すると、割り込みを発生してスリープモードから動作モード（受信モード）に復帰するようになっている。
【００５０】
電池３０は、例えばリチウムボタン電池であり、ＤＣ＋３Ｖの動作電源を各部に供給する。発光素子（ＬＥＤ）３１，３２は、タグリーダから受け取ったステータス（呼び出しなど）を例えば緑色と黄色とに色分けして表示するのに用いる。また、オプションとして設けるプッシュスイッチ３６は、緊急連絡など特別な要求に応えることができる。
【００５１】
そして、オプションとして設ける３軸加速度センサ３５は、ｘｙｚ３軸の変位情報をＣＰＵ内蔵無線ＩＣ２６のＣＰＵに与えて振動有無の検知を行う振動検知手段である。具体的には、３軸加速度センサ３５が搭載される場合、ＣＰＵ内蔵無線ＩＣ２６のＣＰＵは、スリープモードの時間間隔を、振動していない静的状態では、分オーダーの時間間隔として管理し、運搬時などで振動すると、秒オーダーの時間間隔に変更して管理することが可能になる。これによれば、電池３０の一層の長命化が図れる。
【００５２】
次に、図１０は、図１等に示すタグリーダの構成を説明するブロック図である。図１０に示すように、タグリーダ４５は、主に、無線タグ基板４１とＲＳ２３２Ｃドライバ４２とで構成される。
【００５３】
無線タグ基板４１は、前記した無線タグ基板２５とほぼ同様の構成であり、無線タグと無線通信を行う。但し、タグリーダ４５のアンテナは、無線タグ基板４１内のループアンテナ２７（図９参照）を使用してもよく、外付けのモノポールアンテナやダイポールアンテナを使用してもよい。
【００５４】
ＲＳ２３２Ｃドライバ４２は、無線タグ基板４１内のシリアル通信用端子３４（図９参照）と管理ＰＣ４５との間に設けられ、無線タグ基板４１が受信したタグ情報を管理ＰＣ４５に伝達し、また管理ＰＣ４５からの送信データやステータスを無線タグ基板４１に伝達する。
【００５５】
以上のように、この実施の形態による無線タグ利用計測器管理システムでは、無線タグはアクティブ型を用いるが、通常の待機時においては、所定期間のスリープモードとタグリーダからの問い合わせ信号の受信を監視する受信モードとを交互に繰り返すように動作し、必要のない場合は電波を発信しないので、計測器が使用中であってもその計測器を誤動作させることがなく、また、無線関連の計測器が扱っている計測データにノイズを混入させることもない。
【００５６】
また、タグリーダは、無線タグの受信間隔であるスリープモードの時間間隔よりも長い時間内問い合わせ信号を送信するので、捜索や棚卸し時においては、対象となる無線タグの全てを発信モードに移行させることができ、支障なくタグＩＤの収集が行える。
【００５７】
そして、タグリーダは、発信モードになった無線タグからの電波の受信強度によって無線タグが近くに在るか否かを判別するので、対象を特定した貸出・返却の管理を自動的に実施することができる。
【００５８】
また、無線タグが受信モードから移行する発信モードは、スリープモードの時間間隔よりも遙かに短い時間間隔であるので、早足に不正な持ち出しして立ち去ろうとする場合でも確実に防止することができる。
【００５９】
加えて、使用するアクティブ型無線タグは、通常の待機時においては、低消費電力となるので、内蔵電池の長命化が図れる。この効果は、振動検知手段を装備する場合は、一層顕著になる。
【産業上の利用可能性】
【００６０】
以上のように、この発明にかかる無線タグ利用計測器管理システムは、使用中の計測器を誤動作させず、また計測データに影響を与えない態様で、計測器の捜索、棚卸し、貸出・返却、持出防止などの管理を行うのに有用である。
【図面の簡単な説明】
【００６１】
【図１】この発明の無線タグ利用計測器管理システムにて実施できる計測器の捜索・棚卸し時の構成例を示す概念図である。
【図２】図１に示す計測器の捜索・棚卸し時における無線タグの動作を説明する通信タイムチャートである。
【図３】この発明の無線タグ利用計測器管理システムにて実施できる計測器の貸出・返却の管理時の構成例を示す概念図である。
【図４】図３に示す計測器の貸出・返却の管理時における無線タグの動作を説明する通信タイムチャートである。
【図５】この発明の無線タグ利用計測器管理システムにて実施できる計測器の持出管理時（その１）の構成例を示す概念図である。
【図６】図５に示す計測器の持出管理時（その１）における無線タグの動作を説明する通信タイムチャートである。
【図７】この発明の無線タグ利用計測器管理システムにて実施できる計測器の持出管理時（その２）の構成例を示す概念図である。
【図８】図７に示す計測器の持出管理時（その２）における無線タグの動作を説明する通信タイムチャートである。
【図９】図１等に示す無線タグの構成を説明するブロック図である。
【図１０】図１等に示すタグリーダの構成を説明するブロック図である。
【図１１】従来の無線タグシステムの構成例を示すブロック図である。
【図１２】アクティブ型無線タグの従来の利用態様を示す通信タイムチャートである。
【符号の説明】
【００６２】
１  計測器収納部屋
２  部屋番号用の無線タグ
３  収納棚
４  計測器
５  計測器用の無線タグ
６  係員
７  ハンディターミナル（可搬型タグリーダ）
１０  机
１１  計測器貸出管理端末
１２  固定型のタグリーダ
１３  貸し出す計測器
１４  門（ゲート）
１６ａ  持出管理用タグリーダ
１６ｂ  持出管理用端末
１７  持出管理用タグリーダが形成する監視エリア（半径５０ｍ、半径数ｍ）
１８  従業員等
１９  持ち出す計測器に添付された無線タグ
２０  持ち出す計測器
２１  支柱
２２  予告タグリーダ
２３  予告タグリーダが形成する監視エリア（半径５０ｍ）
２５  無線タグ基板
２６  ＣＰＵ内蔵無線ＩＣ
２７  ループアンテナ
２８  発振器（ＯＳＣ）
２９  シリアルＥＥＰＲＯＭ
３０  電池（リチウムボタン電池）
３１，３２  発光素子（ＬＥＤ）
３３  プログラム書き込み用端子
３４  シリアル通信用端子
３５  ３軸加速度センサ
３６  プッシュスイッチ
４０  タグリーダ
４１  無線タグ基板
４２  ＲＳ２３２Ｃドライバ
４５  管理ＰＣ
【図１】
2008244830.tif 000003
【図２】
2008244830.tif 000004
【図３】
2008244830.tif 000005
【図４】
2008244830.tif 000006
【図５】
2008244830.tif 000007
【図６】
2008244830.tif 000008
【図７】
2008244830.tif 000009
【図８】
2008244830.tif 000010
【図９】
2008244830.tif 000011
【図１０】
2008244830.tif 000012
【図１１】
2008244830.tif 000013
【図１２】
2008244830.tif 000014